(57)【特許請求の範囲】
【請求項１】
レジスターボックスの内側に、内部ケースを配置し、該内部ケースの上部内側に窓ガラスを備え、レジスターボックスの上端にシール部材を介して上部ケースを備えるものにおいて、
上記シール部材を、平板部と、該平板部の内周側に下方へ傾斜したリップ部とを一体成形した環状のリップ付パッキンとし、組付状態において、上記リップ部の先部が窓ガラスの上面外周部に弾圧接触し、上記レジスターボックスと上記内部ケース間の隙間が外気に対して気密状態になっていることを特徴とする乾式水道メータ。
【請求項２】
上記リップ付パッキンを樹脂材料で形成し、その表裏面の摩擦抵抗を小さくした請求項１記載の乾式水道メータ。
【発明の詳細な説明】
【０００１】
【発明の属する技術分野】
本発明は乾式水道メータの改良に関するもので、より詳しくは、窓ガラス部のシール構造に関する。
【０００２】
【従来の技術】
従来、乾式水道メータにおけるレジスターボックスと窓ガラス間の防水シール構造として図５及び図６に示すように、内部ケース１０１の上部に、Ｏリング１０２を介在するとともに上辺１０３を折曲して窓ガラス１０４を挟持し、該内部ケース１０１をレジスターボックス１０５の内周に嵌合し、上記内部ケース１０１の上辺１０３とレジスターボックス１０５の上面間に渡って厚肉のゴムパッキン１０６を載置し、更に該ゴムパッキン１０６の上面に金属製又は樹脂製の滑りパッキンシート１０７を載置し、該滑りパッキンシート１０７上に上部ケース１０８の窓枠部１０９を重合してその上部ケース１０８を図示しない下部ケースに螺着することにより、ゴムパッキン１０６を押圧して漬し、図６に示すようにゴムパッキン１０６の下面内周部を膨出させて該膨出部１１０を窓ガラス１０４上に圧接し、内部ケース１０１とレジスターボックス１０５の隙間の外気に対する気密性を確保するようにしたものがある。
【０００３】
【発明が解決しようとする課題】
ところで、上記の窓ガラスは一般に厚肉に形成されるとともに、その板厚が大きいことからその窓ガラスにおける厚みの公差幅が大きく（０．５ｍｍ）設定される。そのため、窓ガラス１０４の厚み寸法を、メータ組み付け時において上記図６に示すように、ゴムパッキン１０６が窓ガラス１０４と上辺１０３の上面に所定圧で圧接するように設計しても、窓ガラス１０４が公差幅で薄く製造されていると、Ｏリング１０２が所定圧で圧縮されるように内部ケース１０１の上辺１０３を折曲して窓ガラス１０４を挟持した場合、メータ組み付け時における窓ガラス１０４の上面が下方に位置する。そのため、上記膨出部１１０の窓ガラス１０４に対する圧接力が設定値以下に減少したり更には無圧接状態になってそのゴムパッキン１０６によるシール効果が不十分となり、内部ケース１０１とレジスターボックス１０５の隙間に水が入り、凍結破損する問題がある。
【０００４】
更に、上記従来のようにゴムパッキン１０６を使用するものにおいては、その材質が極めて摩擦抵抗の大きいものであるため、上部ケース１０８の回転嵌合上から上記のような滑りパッキンシート１０７を介在する必要がある。そのため、シール部材が２部品となる上に、厚肉のゴムパッキン１０６と相まって器内の指示部の位置が上部ケース１０８の上面から深い位置におかれることになり、視野角が狭くなって指示値が読み難くなる問題もある。
【０００５】
そこで本発明は上記の課題を解決する乾式水道メータを提供することを目的とする。
【０００６】
【課題を解決するための手段】
上記の課題を解決するために、請求項１記載の第１の発明は、レジスターボックスの内側に、内部ケースを配置し、該内部ケースの上部内側に窓ガラスを備え、レジスターボックスの上端にシール部材を介して上部ケースを備えるものにおいて、
上記シール部材を、平板部と、該平板部の内周側に下方へ傾斜したリップ部とを一体成形した環状のリップ付パッキンとし、組付状態において、上記リップ部の先部が窓ガラスの上面外周部に弾圧接触し、上記レジスターボックスと上記内部ケース間の隙間が外気に対して気密状態になっていることを特徴とするものである。
【０００７】
本発明においては、窓ガラスの板厚の公差幅が大きくその板厚が公差分薄く形成されていても、リップ付パッキンのリップ部の弾性力によってその先部が窓ガラスの上面外周部に弾圧接触し、上記公差などの寸法ばらつき分を吸収して該部の気密性が確保される。
【０００８】
請求項２記載の第２の発明は、上記第１の発明におけるリップ付パッキンを、樹脂材料で形成し、その表裏面の摩擦抵抗を小さくしたものである。
本発明においては、リップ付パッキンの表裏面の摩擦抵抗が小さいので、上部ケースをリップ付パッキンの上面に接触させて回転しても、上部ケースをスムースに回転してリップ付パッキンを押圧することができる。したがって、従来構造の滑りパッキンシートが不要になる。
【０００９】
【発明の実施の形態】
次に図１乃至図４に示す好ましい実施例に基づいて本発明の実施の形態について説明する。
【００１０】
図１は本発明を適用した乾式水道メータの縦断面図で、この図１において、乾式水道メータを構成する下部ケース１には、流入口２と流出口３と羽根車室４が形成され、その上部外周に雄ねじ５が刻設されている。上記羽根車室４内には羽根車６が回転可能に備えられている。
【００１１】
上記羽根車室４の上部には樹脂で有底筒状に成形されたレジスターボックス７が、上記下部ケース１の上部内側に嵌入して設置され、更に該レジスターボックス７の内側には内部ケース８が嵌入されている。内部ケース８内には指示ユニット９が内蔵されており、マグネット式回転伝達機構１０により、上記羽根車６の回転が指示ユニット９に伝達されて、その指示ユニット９部で流量が指示されるようになっている。
【００１２】
上記指示ユニット９の上部には窓ガラス１１が水平に配置されて、その外周部が気密的（水密的）に支持されている。この窓ガラス１１の気密支持構造の詳細を図２及び図３により説明する。
【００１３】
窓ガラス１１は強化ガラスで所定の厚みに形成されている。該窓ガラス１１の下面外周部はＯリング１２を介して上記内部ケース８の段部８ａに支承されている。また、内部ケース８の段部８ａより上方には立上り壁８ｂが形成され、その立上り壁８ｂを窓ガラス１１の外側面に位置させ、更にその上部を窓ガラス１１の上面外周部に、Ｏリング１２が所定圧で押圧されるように折曲して、この環状の上辺８ｃとＯリング１２で窓ガラス１１を加圧挟持している。これにより内部ケース８と窓ガラス１１の間はＯリング１２で気密性が確保される。
【００１４】
上記レジスターボックス７の環状の上端面７ａは、上記内部ケース８における上辺８ｃの上面より若干上方に位置するように設定されており、また、該上端面７ａは、樹脂成形された滑らかな面に形成されている。なお、上端面７ａと上辺８ｃの上面は面一に形成してもよい。
【００１５】
上記環状の上端面７ａ上にはリップ付パッキン１３が設置されている。該リップ付パッキン１３は、平板部１３ａと、その内側に下方へ屈曲傾斜したリップ部１３ｂを弾性を有する樹脂材料、例えば軟質ポリエチレンで一体成形した環状に形成されている。更に、その平板部１３ａの外径は上記レジスターボックス７の上端外径と略同径に設定され、リップ部１３ｂの内径は上記内部ケース８における上辺８ｃの内径より小径に設定されている。更に平板部１３ａの肉厚は前記従来のゴムパッキン１０６と比較して薄肉に形成され、またリップ部１３ｂの肉厚はその先部に至るにつれて薄肉に形成されている。更に窓ガラス１１の厚みが公差幅（通常０．５ｍｍ）の範囲で薄い場合においても、組み付けられた窓ガラス１１の上面にリップ部１３ｂの先部１３ｃが圧接するように、リップ付パッキン１３の成形時におけるリップ部１３ｂの長さと傾斜角が設定されている。すなわち、図３の鎖線１３Ａに示すような形状でかつ上下方向に弾性変形するように成形されている。更に、上記リップ付パッキン１３は、その樹脂成形時において、その表裏全面を平滑面にして形成されている。
【００１６】
上記下部ケース１の上部外周には金属又は樹脂製の上部ケース１４が、これに刻設した雌ねじ１４ｃを上記雄ねじ５に螺合して備えられている。該上部ケース１４の上部には、上記リップ付パッキン１３の平板部１３ａ上に位置する押さえ面１４ａを形成した窓枠部１４ａが形成されており、該上部ケース１４を回転して下部ケース１に締め付けることにより、その押さえ面１４ｂでリップ付パッキン１３の平板部１３ａが所定圧で押圧されるようになっている。上記押さえ面１４ｂは切削加工されている。
【００１７】
上記上部ケース１４には蓋１５が支軸１６を中心として開閉可能に備えられている。
以上の構造であるため、リップ付パッキン１３の平板部１３ａをレジスターボックス７の上部に配置し、上部ケース１４を回転して下部ケース１へ締め付けると、締め付け当初は、リップ付パッキン１３が上部ケース１４とともに回動し、レジスターボックス７の上端面７ａに接した時点においてもリップ付パッキン１３の裏面とレジスターボックス７の上端面７ａが平滑面に形成されているため、レジスターボックス７の上端面７ａの間で滑って上部ケース１４はスムースに回動し、最終的にはリップ付パッキン１３の平板部１３ａは図３に示すようにレジスターボックス７の上端面７ａに押圧され、レジスターボックス７とリップ付パッキン１３の平板部１３ａと上部ケース１４間が気密状態になる。また、このリップ付パッキン１３が押圧されることにより、そのリップ部１３ｂの先部１３ｃが窓ガラス１１の上面１１ａに弾圧接触し、該部により窓ガラス１１とリップ付パッキン１３間が気密状態になる。
【００１８】
また、窓ガラス１１の板厚の公差幅が大きく、その板厚が公差分薄く形成されている場合には、図３に示すレジスターボックス７の上端面７ａと窓ガラス１１の上面１１ａの段差Ｈが大きくなる。しかし、このような段差Ｈが大きい場合においても、その分リップ付パッキン１３のリップ部１３ｂがその弾性力によって下方へ変形してその先部１３ｃが窓ガラス１１の上面１１ａに弾圧接触し、上記公差寸法分を吸収して該部での気密性が確保される。そのため、レジスターボックス７と内部ケース８の間に外部から水が入り込むことが防止され、凍結破損が防止される。
【００１９】
また、上記のように上部ケース１４の締め付け回転時にリップ付パッキン１３が滑って上部ケース１４がスムースに回転することにより、前記従来のような滑りパッキンシート１０７が不要になる。そのため、この滑りパッキンシート１０７の板厚の分だけ上部ケース１４と窓ガラス１１との距離が短くなり、更にリップ付パッキン１３を従来のゴムパッキン１０６に比べて薄く形成できることにより、上部ケース１４から器内の指示部までの深さを、前記従来の構造よりも浅くすることができ、検針時の視野角が広くなって指示値が読みやすくなる。
【００２０】
更に、従来構造の、ゴムパッキン１０６と滑りパッキンシート１０７の２部品を使用するものに比べて、本実施例においては、リップ付パッキン１３のみでよく、部品点数の削減ができて、安価に製造でき、かつ部品管理も容易になる。
【００２１】
更に、この乾式水道メータが冠水した場合には、冠水圧がリップ付パッキン１３のリップ部１３ｂの外面に作用し、リップ部１３ｂを窓ガラス１１へ押圧するため、そのシール効果は確保される。
【００２２】
【発明の効果】
以上のようであるから、請求項１記載の発明によれば、窓ガラスの板厚の公差幅が大きく、その分窓ガラスの板厚が薄い場合でも、リップ付パッキンのリップの先部が窓ガラスの上面外周部に弾圧接触し、該部の気密性が確保され、レジスターボックスと内部ケースの間に水が入らず、凍結破損を防止できる。
【００２３】
請求項２記載の発明によれば、従来構造の滑りパッキンシートが不要になり、部品点数を削減して、部品組み付けの容易化、製品の低廉化、部品管理の容易化を図ることができる。
【００２４】
更に、上部ケースから器内の指示部までの深さを従来よりも浅くでき、視野角を広くして指示値を読みやすくすることができる。
【図面の簡単な説明】
【図１】本発明の実施例を示す乾式水道メータの側断面図。
【図２】本発明の要部を示す一部拡大側断面図。
【図３】本発明のシール部の拡大側断面図。
【図４】本発明のリップ付パッキンを示すもので、（ａ）は平面図、（ｂ）は（ａ）におけるＡ−Ａ線断面図。
【図５】従来構造の側断面図。
【図６】図５においてゴムパッキンの先部が窓ガラス上面に膨出した状態を示す側断面図。
【符号の説明】
７…レジスターボックス                  ７ａ…上端
８…内部ケース                          １１…窓ガラス
１１ａ…上面                            １３…リップ付パッキン
１３ａ…平板部                          １３ｂ…リップ部
１３ｃ…先部
【図１】
0004128646.tif 000002
【図２】
0004128646.tif 000003
【図３】
0004128646.tif 000004
【図４】
0004128646.tif 000005
【図５】
0004128646.tif 000006
【図６】
0004128646.tif 000007